(57)【要約】【課題】  電力供給再開時に装置を自動的に起動するか否かを、停電等の電力供給の停止中に、ユーザーが設定できなかった。【解決手段】  電力供給再開時に装置を自動的に起動するか否かを、停電等の電力供給の停止中に、ユーザーが設定可能にする手段を設ける。【選択図】  図５
2020075386.tif 000002
【特許請求の範囲】
【請求項１】
印刷部と、
前記印刷部を制御する制御部と、
ユーザー操作を受け付ける受付部と、
前記印刷部および前記制御部へ電力を供給する指示および前記印刷部および前記制御部への電力供給を停止する指示のどちらが有効であるかを示す情報を記憶する記憶部と、
前記記憶部に現在記憶されている前記情報に基づいて、前記印刷部および前記制御部への電力供給を制御する電力制御部と、
を有する印刷装置であって、
前記印刷装置は商用電源からの電力供給を受け付け、
前記電力制御部は、前記印刷装置へ商用電源から電力が供給されている状態において電力供給の前記制御が可能であり、
前記記憶部は、前記印刷装置への商用電源からの電力供給が遮断されている状態においても前記情報を記憶し続けることが可能であり、
前記印刷装置への商用電源からの電力供給が遮断されている状態において受け付けられた前記受付部に対するユーザー操作に基づいて、当該状態において、前記記憶部に記憶されている前記情報を、前記供給する指示および前記停止する指示の一方の指示が有効であることを示す情報から他方の指示が有効であることを示す情報に変更する変更手段を有することを特徴とする印刷装置。
【請求項２】
前記電力制御部は、前記印刷装置への商用電源からの電力供給の状態が、前記印刷装置への商用電源からの電力供給が遮断されている状態から前記印刷装置へ商用電源から電力が供給されている状態に変わった後、前記記憶部に記憶されている前記情報に基づいて、前記制御を行うことを特徴とする請求項１に記載の印刷装置。
【請求項３】
前記変更手段は、前記印刷装置への商用電源からの電力供給が遮断されている状態において、前記ユーザー操作に基づいて、前記記憶されている前記情報を、前記供給する指示が有効であることを示す情報から前記停止する指示が有効であることを示す情報に変更することを特徴とする請求項１または２に記載の印刷装置。
【請求項４】
前記変更手段は、前記印刷装置への商用電源からの電力供給が遮断されている状態において、前記ユーザー操作に基づいて、前記記憶されている前記情報を、前記停止する指示が有効であることを示す情報から前記供給する指示が有効であることを示す情報に変更することを特徴とする請求項１または２に記載の印刷装置。
【請求項５】
前記印刷装置への商用電源からの電力供給が遮断されている状態において前記記憶部に所定電力を供給する供給手段を有することを特徴とする請求項１乃至４の何れか１項に記載の印刷装置。
【請求項６】
前記受付部は、前記印刷装置への商用電源からの電力供給が遮断されている状態において前記変更手段として機能することを特徴とする請求項１乃至５の何れか１項に記載の印刷装置。
【請求項７】
前記受付部は、ユーザーによって押下されるプッシュスイッチであることを特徴とする請求項６に記載の印刷装置。
【請求項８】
前記記憶部は、フリップフロップであることを特徴とする請求項１乃至５の何れか１項に記載の印刷装置。
【請求項９】
前記記憶部は、コンデンサとダイオードから構成されることを特徴とする請求項１乃至５の何れか１項に記載の印刷装置。
【請求項１０】
前記受付部は、オン状態の前記印刷装置をオフ状態にするためにユーザーによって操作される電源スイッチであることを特徴とする請求項１乃至５の何れか１項に記載の印刷装置。
【請求項１１】
前記記憶部に供給する電力を前記供給手段からの電力と商用電源からの電力とを切り換える切換手段を有することを特徴とする請求項１乃至５の何れか１項に記載の印刷装置。
【請求項１２】
前記切換手段は、商用電源からの電力が供給されているときは、商用電源からの電力に切り換えて前記記憶部に電力を供給することを特徴とする請求項１１に記載の印刷装置。
【請求項１３】
印刷部と、
前記印刷部を制御する制御部と、
ユーザー操作を受け付ける受付部と、
前記印刷部および前記制御部へ電力を供給する指示および前記印刷部および前記制御部への電力供給を停止する指示のどちらが有効であるかを示す情報を記憶する記憶部と、
前記記憶部に現在記憶されている前記情報に基づいて、前記印刷部および前記制御部への電力供給を制御する電力制御部と、
を有する印刷装置であって、
前記印刷装置は商用電源からの電力供給を受け付け、
前記電力制御部は、前記印刷装置へ商用電源から電力が供給されている状態において電力供給の前記制御が可能であり、
前記記憶部は、前記印刷装置への商用電源からの電力供給が遮断されている状態においても前記情報を記憶し続けることが可能である前記印刷装置の制御方法であって、
前記印刷装置への商用電源からの電力供給が遮断されている状態において受け付けられた前記受付部に対するユーザー操作に基づいて、当該状態において、前記記憶部に記憶されている前記情報を、前記供給する指示および前記停止する指示の一方の指示が有効であることを示す情報から他方の指示が有効であることを示す情報に変更する変更工程を有することを特徴とする印刷装置の制御方法。
【発明の詳細な説明】
【技術分野】
【０００１】
本発明は、印刷装置の起動に関する技術に関する。特に、外部から電力が供給された際に印刷装置をオフのままにするのかオンするのかを、外部から電力が供給されていない状態の印刷装置に対して設定可能にする技術に関する。
【背景技術】
【０００２】
印刷装置の電源スイッチには、複数種類のスイッチがある。１つは、ロッカースイッチなどハード的にＯＮ／ＯＦＦ状態を保持するオルタネート方式のスイッチである。また、もう１つは、プッシュスイッチなどハード的にＯＮ／ＯＦＦ状態を保持せずに、スイッチが押下されている間だけＯＮするモーメンタリ方式のスイッチである。そのため、モーメンタリ方式のスイッチを備える印刷装置は、印刷装置の電源状態のＯＮ／ＯＦＦ状態を記憶するメモリを有している。またモーメンタリ方式の電源スイッチを備える印刷装置は、不揮発性メモリに電源状態を示す情報を格納しておき、電源スイッチが操作される毎にその情報をＯＮからＯＦＦあるいはＯＦＦからＯＮに切り替える。
【０００３】
特許文献１では、停電が解消された後に不揮発性メモリに格納された上記情報を参照し、その情報に基づいて、停電が起きる前の電源状態に自動的に復帰させる技術が提案されている。
【先行技術文献】
【特許文献】
【０００４】
【特許文献１】特開２０１２−１７５４９６号公報
【発明の概要】
【発明が解決しようとする課題】
【０００５】
上記特許文献１に記載の技術においては、停電が起きる前の電源状態を不揮発性メモリに格納しておくので、停電が解消されると、装置を停電が起きる前の電源状態に自動的に復帰させることができる。しかし、停電中には電力供給が停止するため不揮発性メモリの内容を書き換えできない。そのため、停電が解消した後に装置をオフのままにするのかオンするのかを停電中に設定することができなかった。本発明は、停電中でも上記設定を行うことを可能にすることを目的とする。
【課題を解決するための手段】
【０００６】
本発明の印刷装置は、印刷部と、前記印刷部を制御する制御部と、ユーザー操作を受け付ける受付部と、前記印刷部および前記制御部へ電力を供給する指示および前記印刷部および前記制御部への電力供給を停止する指示のどちらが有効であるかを示す情報を記憶する記憶部と、前記記憶部に現在記憶されている前記情報に基づいて、前記印刷部および前記制御部への電力供給を制御する電力制御部と、を有する印刷装置であって、前記印刷装置は商用電源からの電力供給を受け付け、前記電力制御部は、前記印刷装置へ商用電源から電力が供給されている状態において電力供給の前記制御が可能であり、前記記憶部は、前記印刷装置への商用電源からの電力供給が遮断されている状態においても前記情報を記憶し続けることが可能であり、前記印刷装置への商用電源からの電力供給が遮断されている状態において受け付けられた前記受付部に対するユーザー操作に基づいて、当該状態において、前記記憶部に記憶されている前記情報を、前記供給する指示および前記停止する指示の一方の指示が有効であることを示す情報から他方の指示が有効であることを示す情報に変更する変更手段を有することを特徴とする。
【発明の効果】
【０００７】
本発明によれば、印刷装置に商用電源が供給されていない状態において、商用電源の供給に基づいて印刷装置をオンするかどうかを設定可能となる。
【図面の簡単な説明】
【０００８】
【図１】実施形態１における印刷装置の概略図
【図２】実施形態１におけるメインコントローラ部１０２の内部構成を示すブロック図
【図３】実施形態１における電源制御部２０２の制御を示すブロック図
【図４】実施形態１における電源切換部２１２の内部構成を示すブロック図
【図５】実施形態１における状態記憶部２１３及び電源スイッチ部１０４の内部構成を示すブロック図
【図６】実施形態１におけるフリップフロップ５０１の動作を表す真理値表
【図７】実施形態１における電源制御部２０２の動作を表すフローチャート
【図８】実施形態１におけるＣＰＵ部２０４の動作を表すフローチャート
【図９】実施形態２における状態記憶部２１３の内部構成を示すブロック図
【図１０】実施形態２における電源制御部２０２の動作を表すフローチャート
【図１１】実施形態３におけるメインコントローラ部１０２の内部構成を示すブロック図
【図１２】実施形態３における状態記憶部２１３及び電源スイッチ部１０４の内部構成を示すブロック図
【図１３】実施形態３における電源制御部２０２の動作を表すフローチャート
【発明を実施するための形態】
【０００９】
以下、本発明を実施するための最良の形態について図面を用いて説明する。
【００１０】
（実施形態１）
図１は、本発明の実施形態１における印刷装置の概略図である。印刷装置は、電源部１００、スキャナ部１０１、メインコントローラ部（制御部）１０２、プリンタ部（印刷部）１０３、電源スイッチ部（受付部）１０４、操作部１０５、ＡＣプラグ１０６、ＦＡＸ１０７を備えている。
【００１１】
図１において、スキャナ部１０１は、原稿から光学的に画像を読み取りデジタル画像への変換を行う。プリンタ部１０３は、例えば電子写真方式に従ってシート状の記録媒体（用紙）への画像形成処理を行う。なお、プリンタ部１０３は、シート状の記録媒体（例えば、記録紙）の両面に画像処理を可能なものであればその記録方式は電子写真方式に限定されるものではなく、他の記録方式、例えば、インクジェット方式や熱転写方式などを用いても良い。
【００１２】
メインコントローラ部１０２は、印刷装置全体を制御し、例えばスキャナ部１０１に原稿画像を読み取らせて読み取った原稿画像をプリンタ部１０３に印刷させるコピー動作制御を行う。
【００１３】
電源部１００は、印刷装置外部のコンセントにＡＣプラグ１０６を差し込むことにより、交流の商用電源（例えば１００Ｖ）の供給を受けるようになっている。電源部１００は、商用電源を所望の直流電圧（例えば１２Ｖ）に変換するＡＣ−ＤＣコンバータを有し、商用電源が供給されるとＡＣ−ＤＣコンバータによって変換された直流電圧をメインコントローラ部１０２（の一部）に供給するように構成されている。そのため停電等により電源部１００への商用電源の供給が途絶えると、この直流電圧の供給も止まる。
【００１４】
電源スイッチ部１０４は、ハード的にＯＮ／ＯＦＦ状態を保持しないモーメンタリ方式のプッシュスイッチ等で構成され、ユーザーが電源スイッチ部１０４を押下したことをメインコントローラ部１０２に通知するものである。この電源スイッチ部１０４は、メインコントローラ部１０２、プリンタ部１０３、操作部１０５、ＦＡＸ１０７等の印刷装置内の各部へ電力を供給するオン指示、および、これら各部への電力供給を停止するオフ指示をユーザーから受け付ける受付部である。
【００１５】
操作部１０５は、メインコントローラ部１０２に接続されており、操作用液晶パネルや省電力モード解除ボタンを含むハードキーを備え、ユーザーから入力される指示を受け付ける。ＦＡＸ１０７は、公衆回線を介して、遠隔地のファクシミリ機器と画像データの送受信を行うものである。
【００１６】
図２は、本発明の実施形態１におけるメインコントローラ部１０２の内部構成を示すブロック図である。メインコントローラ部１０２は、バッテリー部２００、電圧変換部２０１、電源制御部（電力制御部）２０２、電源系２電源供給部２０３、ＣＰＵ部２０４、メモリ部２０５、ＨＤＤ部２０６、画像処理部２０７、電源切換部２１２、状態記憶部２１３を有する。
【００１７】
バッテリー部２００は、一次電池もしくは充放電可能な二次電池である。本実施形態１においてはその出力電圧を直流＋３Ｖとして説明するが、これに限定されるものではない。
【００１８】
電圧変換部２０１は、電源部１００から供給される電源電圧（例えば直流１２Ｖ）を各制御部の要求電圧に電圧変換し、各制御部に供給するものである。本実施形態１においてはその出力電圧を直流＋３．３Ｖとして説明するが、これに限定されるものではない。ただし後述するように本実施形態において電源切替部２１２内にダイオードを利用するため、この出力電圧のほうがバッテリー部２００からの出力電圧よりも大きくする必要がある。
【００１９】
電源切換部２１２は、バッテリー部２００からの電源（直流３Ｖ）と電圧変換部２０１からの電源（直流３．３Ｖ）を切り換えて、状態記憶部２１３を含む電源系０に電源供給するものである。この状態記憶部２１３は、後述するようにフリップフロップを備え、揮発性の記憶手段に相当する。そのため、状態記憶部２１３に情報を記憶し続けるには、状態記憶部２１３に電力を供給し続けなければならない。この状態記憶部２１３は後述するように、印刷装置内の各部へ電力を供給するオン指示と、これら各部への電力供給を停止するオフ指示とのどちらが有効であるかを示す情報を記憶する。印刷装置内の各部へ電力を供給するオン指示が有効であることを示す情報のことをオン設定とよび、各部への電力供給を停止するオフ指示が有効であることを示す情報のことをオフ設定と呼ぶ。すなわち、状態記憶部２１３は、オン設定かオフ設定を記憶する。
【００２０】
ここで、電源切換部２１２の構成例を図４に示す。図４において符号４０１、４０２で示される部品はダイオードであり、その出力は接点４０３に接続されている。この接点４０３を介して、ダイオード４０１か４０２の何れかからの出力電圧が状態記憶部２１３を含む電源系０に供給される。ダイオードは、順バイアスをかけると電流が流れやすいが、逆バイアスをかけると電流が流れにくいという特性を持つ。そのため、バッテリー部２００の出力電圧が＋３Ｖで電圧変換部２０１の出力電圧が＋３．３Ｖであるときは、高い方の電圧である電圧変換部２０１側のダイオード４０２のみが電流を流す。つまり、印刷装置自体に外部の商用電源から電力が供給されている場合には、電圧変換部２０１からの出力電圧（３．３Ｖ）が状態記憶部２１３に供給される。一方、ＡＣプラグ１０６が商用電源に接続されていないときや停電のとき、すなわち、印刷装置自体に外部から電力が供給されていない場合には、電圧変換部２０１の出力電圧は０Ｖとなる。そのため、バッテリー部２００側のダイオード４０１のみが電流を流し、バッテリー部２００からの出力電圧（３Ｖ）が状態記憶部２１３に供給される。
【００２１】
電源制御部２０２は、集積回路であり、電源スイッチ部１０４、電源系２電源供給部２０３、電源系３電源供給部２１０、ＣＰＵ部２０４、状態記憶部２１３と接続されている。電源制御部２０２は、電源スイッチ部１０４の操作及びＣＰＵ部２０４が実行する制御プログラムに従って、印刷装置各部への電源を供給／遮断させるために電源系２電源供給部２０３、電源系３電源供給部２１０のスイッチング制御を行う。これら電源供給部２０３、電源供給部２１０は、電界効果トランジスタ（ＦＥＴ）などであり、電源制御部２０２からの信号で、電圧変換部２０１、電源部１００からの出力電圧を電源系２、電源系３に供給したり遮断したりする。また、電源制御部２０２は、状態記憶部２１３に対して印刷装置の起動状態の設定を行う。また、電源制御部２０２は、状態記憶部２１３の設定（すなわちオン設定あるいはオフ設定）に基づいて、電源系２電源供給部２０３、電源系３電源供給部２１０の制御を行う。このように電源制御部２０２は、状態記憶部２１３に現在記憶されている設定（情報）に基づいて、メインコントローラ部１０２、プリンタ部１０３、操作部１０５、ＦＡＸ部１０７等の印刷装置内の各部への電力供給を制御する。
【００２２】
ＣＰＵ部２０４は、印刷装置全体の制御を行う中央演算装置であり、ＨＤＤ部２０６に格納されている制御プログラムに基づいて、コピー機能、プリント機能、ＦＡＸ機能等の機能を実現する。メモリ部２０５は、ＣＰＵ部２０４に接続されている。メモリ部２０５は、ＤＤＲ  ＳＤＲＡＭ等の揮発性メモリであり、ＣＰＵ部２０４で実行される制御プログラム等によって作成されたユーザデータなどを格納する主メモリである。ＨＤＤ部２０６は、ＣＰＵ部２０４に接続されている。ＨＤＤ部２０６は、ＣＰＵ部２０４が実行するプログラムや印刷装置に関する各種設定情報等を格納するための記憶装置である。画像処理部２０７は、ＣＰＵ部２０４、プリンタ部１０３、スキャナ部１０１に接続されている。画像処理部２０７は、スキャナ部１０１から出力されたデジタル画像を色空間変換などの画像処理を行い、画像処理後のデータをＣＰＵ部２０４に出力する。また、画像処理部２０７は、スキャナ部１０１で読み取られた画像データを基に色空間変換などの画像処理を行い、ビットマップデータに変換し、プリンタ部１０３に出力する。
【００２３】
次に、図２を用いて印刷装置の電源系統に関して説明する。
【００２４】
以下では電源系０〜電源系３を説明するが電源系の数はこれに限られない。停電等の事由により電源部１００由来の電源が供給されない場合に、電源系０に対して、電源部１００とは異なるバッテリー部２００由来の電源が供給される。一方、電源部１００由来の電源が供給されない場合、電源系１、電源系２、電源系３に対して、電源は供給されない。
【００２５】
電源系０（２１４）は、電源切換部２１２からの出力電圧で状態記憶部２１３に電源を供給する電源系統である。電源系０（２１４）は、電源切換部２１２にてバッテリー部２００の出力と電圧変換部２０１の出力のうち電圧が高い方が選択されて出力されるため、電圧変換部２０１の出力が停電等でオフになった場合でもバッテリー部２００から電源が供給される。このように停電等が起きてもバッテリー部２００からの電源供給が行われるため、後述するように、停電中であっても状態記憶部２１３の設定を、電源スイッチ部１０４に対するユーザー操作によってオン設定からオフ設定に変更することができる。すなわち本実施形態の印刷装置は、印刷装置への商用電源からの電力供給が遮断されている状態において、状態記憶部２１３に記憶されている設定情報を一方の設定情報から他方の設定情報に変更するためのユーザー操作を受け付けることができる。そして印刷装置は、この受け付けられたユーザー操作に基づいて、商用電源からの電力供給が遮断されている状態において、状態記憶部２１３に記憶されている設定情報を一方の設定情報から他方の設定情報に変更可能な変更手段を備えている。
【００２６】
電源系１（２０８）は、電源制御部２０２に電源を供給する電源系統である。電源系１（２０８）は、ＡＣプラグ１０６から商用電源が供給される限り、電源が供給される。電源系１（２０８）に電源が供給されていれば、電源制御部２０２による印刷装置各部への電力制御が可能である。
【００２７】
電源系２（２０９）は、ＣＰＵ部２０４、メモリ部２０５、ＨＤＤ部２０６、画像処理部２０７、操作部１０５、ＦＡＸ１０７に電源を供給する電源系統である。電源系２（２０９）に電源が供給されていれば、これらモジュールの機能は使用可能である。電源系２（２０９）の電源遮断／供給の制御は、電源制御部２０２から出力される制御信号によって電源系２電源供給部２０３を制御することで実現する。なお、電源系２（２０９）は、印刷装置全体の消費電力を低減する状態である省電力モード時、及び、印刷装置の電力状態が電源オフ時には電源供給が停止される。
【００２８】
電源系３（２１１）は、スキャナ部１０１、プリンタ部１０３に電源を供給する電源系統である。電源系３（２１１）に電源が供給されていれば、これらモジュールの機能は使用可能である。電源系３（２１１）の電源遮断／供給の制御は、電源制御部２０２から出力される制御信号によって電源系３電源供給部２１０を制御することで実現する。なお、電源系３（２１１）は、印刷装置全体の消費電力を低減する状態である省電力モード時、及び、印刷装置の電力状態が電源オフ時には電源供給が停止される。
【００２９】
図５は、状態記憶部２１３と電源スイッチ部１０４の詳細を示すブロック図である。図５において符号５０１はフリップフロップ、符号５０２、５０３は抵抗器であり、符号５０４はプッシュスイッチを示す。また、状態記憶部２１３は、起動状態通知信号３１６を出力する。Ｌｏｗレベルの起動状態通知信号３１６は、シャットダウン処理が正常に行われて印刷装置が正常終了したことを示す。Ｈｉｇｈレベルの起動状態通知信号３１６は、例えば停電等の要因によりシャットダウン処理が正常に行われず印刷装置が異常終了したことを示す。なおＨｉｇｈレベルの信号とは、第１の所定電圧値以上の信号のことを指し、Ｌｏｗレベルの信号とは、第１の所定電圧値より低い第２の所定電圧値以下の信号のことを指す。また信号がＨｉｇｈレベルであることを信号がＨｉｇｈであるといい、信号がＬｏｗレベルであることを信号がＬｏｗであるという。
【００３０】
この起動状態通知信号３１６は、商用電源が電源部１００に供給されてなかった状態から供給された状態に変わったときに、印刷装置を電源オフ状態にするのかを決める。例えば、商用電源が電源部１００に供給されたときに起動状態通知信号３１６がＬｏｗであれば、印刷装置は電源オフ状態になる。すなわち、印刷装置は、電源系０および電源系１に電力が供給され、かつ、電源系２および電源系３に電力が供給されない電源オフ状態となる。一方、商用電源が電源部１００に供給されたときに起動状態通知信号３１６がＨｉｇｈであれば、印刷装置は、例えば通常電力状態になる。すなわち、印刷装置は、電源系０、１、２、３に電力が供給される通常電力状態となる。
【００３１】
フリップフロップ５０１の真理値表を図６に示す。図６の真理値表に示すとおり、ＣＬＲ（クリア）端子への入力がＬｏｗであれば、他の端子への入力のレベルにかかわらずＱ端子からの出力はクリアされてＬｏｗとなる。ＣＬＲ端子への入力がＨｉｇｈかつＰＲ（プリセット）端子への入力がＬｏｗであれば、Ｑ端子からの出力はセットされてＨｉｇｈとなる。またＤ端子への入力とＣＬＫ（クロック）端子への入力はＧＮＤに短絡されている（接地されている）ため、ＣＬＲ端子への入力がＨｉｇｈかつＰＲ端子への入力がＨｉｇｈであれば、端子Ｑからの出力のレベルは維持される。抵抗器５０２は、起動状態設定信号３１５と電源（電源切り替え部２１２からの信号）との間に接続され、停電等で電源制御部２０２がオフとなり起動状態設定信号３１５が駆動されない場合にこの信号レベルをＨｉｇｈに保つ。
【００３２】
プッシュスイッチ５０４は、片側の端子がＧＮＤに接地されている。状態記憶部２１３に電力が供給されている間、このプッシュスイッチ５０４が押下されたときは、電源スイッチ状態信号３１１がＬｏｗとなる。また、電源スイッチ状態信号３１１は抵抗器５０３を介して電源に接続されているため、状態記憶部２１３に電力が供給されている間、プッシュスイッチ５０４が押下されていないとき、この電源スイッチ状態信号３１１はＨｉｇｈとなる。すなわち、状態記憶部２１３に電力が供給されている間において、プッシュスイッチ５０４が押下されていればＣＬＲ端子への入力レベルはＬｏｗとなり、押下されていなければＣＬＲ端子への入力レベルはＨｉｇｈである。
【００３３】
従って状態記憶部２１３は、電源スイッチ部１０４が押下されると電源スイッチ状態信号３１１がＬｏｗとなり内部フリップフロップ５０１のＱ端子からの出力がクリアされて、起動状態通知信号３１６はＬｏｗとなる。また、ＣＬＲ端子への入力がＨｉｇｈの状態において起動状態設定信号３１５が電源制御部２０２によってＬｏｗにされると、フリップフロップ５０１のＱ端子からの出力がＨｉｇｈにセットされる。すなわち、電源スイッチ部１０４が押されていない状態において電源制御部２０２が起動状態設定信号３１５をＬｏｗにセットすると、ＰＲ端子への入力がＬｏｗにセットされてフリップフロップ５０１のＱ端子からの出力がＨｉｇｈにセットされる。その結果、起動状態通知信号３１６はＨｉｇｈとなる。
【００３４】
図７は、本実施形態における電源制御部２０２の動作を表すフローチャートである。また、図３は、電源制御部２０２と接続されている各種信号を示す詳細ブロック図である。これらを参照して、電源制御部２０２の動作を以下で説明する。
【００３５】
まず電源制御部２０２は、電圧変換部２０１から＋３．３Ｖの出力電圧が供給されると、起動状態設定信号３１５をＨｉｇｈ、電源系２制御信号３１７をＬｏｗ、電源系３制御信号３１８をＬｏｗ、シャットダウン開始信号３２０をＬｏｗにする（Ｓ７０１）。なお、出力電圧が電圧変換部２０１から電源制御部２０２に供給されるタイミングで電源スイッチ部１０４のプッシュスイッチ５０４は押されていないものとする。ここで起動状態設定信号３１５は、状態記憶部２１３のフリップフロップ５０１のＰＲ端子に接続されており、その信号レベルはＨｉｇｈである。
【００３６】
また、電圧変換部２０１から出力電圧が供給される前、すなわち印刷装置外部から電力が供給されていない状態において、前述のバッテリー部２００は状態記憶部２１３に＋３．０Ｖの所定電力を供給している。すなわち、商用電源が電源部１００に供給されておらず起動状態設定信号３１５がＨｉｇｈに維持できない状態であっても、ＰＲ端子への入力は、電源切替部２１２によってＨｉｇｈに維持される。そのため、プッシュスイッチ５０４が押されなければ、Ｑ端子からの出力（起動状態通知信号３１６）は、印刷装置外部から電力が供給される前後において変化しない。したがって、停電中に電源スイッチ部１０４のプッシュスイッチ５０４を操作していなければ、停電前と、停電中と、停電が解消して外部電力が供給され始めた後とで、Ｑ端子からの出力（起動状態通知信号３１６）は変わらない。このように状態記憶部２１３は、プッシュスイッチの操作に応じて変更される情報を記憶している。そして後述するように状態記憶部２１３に現在記憶されている情報に基づいて印刷装置内の各部（特に電源系２、電源系３）への電力供給が電源制御部２０２によって制御される。
【００３７】
また電源系２制御信号３１７は、電源系２電源供給部２０３に接続されているが、その信号がＬｏｗであるため、電源系２（２０９）はオフのままである。同様に電源系３制御信号３１８がＬｏｗは、電源系３電源供給部２１０に接続されているが、その信号がＬｏｗであるため、電源系３（２１１）はオフのままである。
【００３８】
次に電源制御部２０２は、状態記憶部２１３からの起動状態通知信号３１６の状態がＨｉｇｈかどうかをチェックし（Ｓ７０２）、Ｈｉｇｈの場合（Ｓ７０２でＹｅｓ）、Ｓ７０４に遷移し、Ｈｉｇｈでない場合（Ｓ７０２でＮｏ）、Ｓ７０３に遷移する。
【００３９】
起動状態通知信号３１６の状態がＬｏｗ（Ｓ７０２でＮｏ）の場合は、シャットダウン処理後の正常終了もしくは、停電中にユーザーによる電源スイッチ部１０４の操作があったと判断できる。そのため、電源制御部２０２は、印刷装置を自動で起動せずに、ユーザーによるスイッチ部１０４の操作を待つ。すなわち電源制御部２０２は、電源スイッチ状態信号３１１の状態がＬｏｗかどうかをチェックし（Ｓ７０３）、Ｌｏｗになるまで、このステートにとどまる。そして電源制御部２０２は、電源スイッチ状態信号３１１がＨｉｇｈに戻ったことを検知してＳ７０４以降の処理を行う。すなわち、電源制御部２０２は、電源スイッチ部１０４のプッシュスイッチ５０４が押された状態になってから押されていない状態になったことを検知して、以降の処理を行う。プッシュスイッチ５０４が押されていない状態ではＣＬＲ端子への入力はＨｉｇｈである。
【００４０】
次に電源制御部２０２は、以下の処理を行う。すなわち電源制御部２０２は、電源系２制御信号３１７をＨｉｇｈにし、かつ、電源系３制御信号３１８をＨｉｇｈにする（Ｓ７０４）。ここで、電源系２制御信号３１７がＨｉｇｈになり、かつ、電源系３制御信号３１８がＨｉｇｈになることで、電源系２（２０９）及び電源系３（２１１）の電源供給が開始され、電源オン状態に移行する。
【００４１】
Ｓ７０２で起動状態通知信号３１６の状態がＨｉｇｈ（Ｙｅｓ）の場合は、停電等による異常終了が発生し、その後ユーザーによる電源スイッチ部１０４の操作が無いと判断できるため、Ｓ７０４に遷移する。Ｓ７０４において、電源制御部２０２は、電源系２制御信号（３１７）をＨｉｇｈ、電源系３制御信号（３１８）をＨｉｇｈにすることで、電源系２（２０９）及び電源系３（２１１）の電源供給を開始し、電源オン状態に移行する。
【００４２】
次に電源制御部２０２は、Ｈｉｇｈの起動状態設定信号３１５を一旦Ｌｏｗにセットしてから再びＨｉｇｈにセットする（Ｓ７０５）。このＳ７０５の処理が行われるタイミングでは、プッシュスイッチ５０４は押されていない状態なので、ＣＬＲ端子への入力はＨｉｇｈである。これによって、状態記憶部２１３のフリップフロップ５０１のＱ端子からの出力である起動状態通知信号３１６がＨｉｇｈにセットされ、電源部１００に商用電源が供給されている間はその状態が維持される。すなわち、電源制御部２０２は、印刷装置が起動中であることを示す情報を状態記憶部２１３に設定する。またこの情報（印刷装置が起動中であることを示す情報）は、次回のステップＳ７０２において参照されると、Ｓ７０３がスキップされてＳ７０４が実行されるので、印刷装置が起動中に停電が起き、その停電が解消すると、印刷装置は自動的に起動する。
【００４３】
次に、電源制御部２０２は、電源スイッチ状態信号３１１の状態がＬｏｗかどうかをチェックし（Ｓ７０６）、Ｌｏｗになるまで、このステートにとどまる。ユーザーによって電源スイッチ部１０４のプッシュスイッチ５０４が押下され、電源スイッチ状態信号３１１の状態がＬｏｗになると（Ｓ７０６でＹｅｓ）、電源制御部２０２は、シャットダウン開始信号３２０をＨｉｇｈに駆動する（Ｓ７０７）。ここでシャットダウン開始信号３２０はＣＰＵ部２０４に接続されており、この信号がＨｉｇｈになるとＣＰＵ部２０４は、シャットダウン処理を開始する。ＣＰＵ部２０４は、シャットダウン処理を完了するとシャットダウン完了信号３１９を電源制御部２０２に出力する。また、電源スイッチ状態信号３１１の状態がＬｏｗになるとフリップフロップ５０１のＣＬＲ端子への入力レベルもＬｏｗになる。これによって、状態記憶部２１３の内部フリップフロップ５０１のＱ端子からの出力がクリアされて、起動状態通知信号３１６はＬｏｗとなる。
【００４４】
次に、電源制御部２０２は、シャットダウン完了信号３１９がＨｉｇｈかどうかをチェックし（Ｓ７０８）、ＣＰＵ部２０４のシャットダウン処理が完了しシャットダウン完了信号３１９がＨｉｇｈになるまでこのステートにとどまる。シャットダウン完了信号３１９がＨｉｇｈとなると（Ｓ７０８でＹｅｓ）、シャットダウン開始信号（３２０）をＬｏｗ、電源系２制御信号３１７をＬｏｗ、電源系３制御信号３１８をＬｏｗにして（Ｓ７０９）、Ｓ７０３に戻る。ここで、電源系２制御信号３１７がＬｏｗ、電源系３制御信号３１８がＬｏｗになることで、電源系２（２０９）及び電源系３（２１１）の電源供給を停止し、電源オフ状態に移行する。このように電源制御部２０２は、Ｓ７０４、Ｓ７０９で説明したように、電源部１００に商用電源が供給されている状態において、印刷装置内の各部への電力供給および電力供給の遮断を制御できる。
【００４５】
図８は、本発明の実施形態１におけるＣＰＵ部２０４の動作を表すフローチャートである。
【００４６】
まずＣＰＵ部２０４は、電源が投入されると、初期化処理を行い、シャットダウン完了信号３１９をＬｏｗとする（Ｓ８０１）。シャットダウン完了信号３１９はＨｉｇｈでシャットダウン処理の完了を示し、Ｌｏｗでシャットダウン処理の未完了を示す。
【００４７】
次に、ＣＰＵ部２０４は印刷装置の各種機能制御を実施する（Ｓ８０２）。この各種機能制御には、プリント機能制御、スキャン機能制御やＦＡＸ機能制御等が含まれる。例えば、ＦＡＸの予約送信機能が設定されていた場合、これは予め設定した予約時刻に自動でＦＡＸを送信する機能であるが、停電復旧後に印刷装置が自動で起動することで、本機能を達成することができる。一方、ユーザーが不在となる夜間等に、省エネ等の観点で印刷装置をオフしたいユーザーもいるが、従来の印刷装置では停電復旧後に装置が必ず起動するため、停電が復旧するまで待たなければ印刷装置をオフできないという問題もあった。
【００４８】
次にＣＰＵ部２０４は、シャットダウン開始信号３２０がＨｉｇｈかどうかをチェックする（Ｓ８０３）。ＣＰＵ部２０４は、シャットダウン開始信号３２０がＨｉｇｈであることを検出すると（Ｓ８０３でＹｅｓ）、シャットダウンプログラムにしたがってシャットダウン処理を実施する（Ｓ８０４）。
【００４９】
次にシャットダウン処理の完了を待ち（Ｓ８０５）、シャットダウン処理が完了すると（Ｓ８０５でＹｅｓ）、ＣＰＵ部２０４は、シャットダウン完了信号３１９をＨｉｇｈに駆動し、終了する。
【００５０】
以上説明したように、停電中であってもユーザーによる電源スイッチ部１０４の操作によって、状態記憶部２１３内のフリップフロップ５０１のＱ端子からの出力である起動状態通知信号３１６をクリアできる。このことにより、停電復旧時の自動起動を中止することができ、印刷装置のオフを維持することが可能となる。
【００５１】
（実施形態２）
実施形態１では、停電中に装置をオフするための方法として説明したが、実施形態２では反対に通常は停電復旧後には自動で起動しないが、停電中のユーザーによる電源スイッチ部の操作によって停電復旧後には自動で起動するための方法を説明する。
【００５２】
実施形態１との差異は、状態記憶部２１３の内部構成と電源制御部２０２の動作のみである。
【００５３】
図９は実施形態２における状態記憶部２１３の詳細を示す内部ブロック図である。図９において実施形態１と同じものについては同一番号を振っている。
【００５４】
５０１はフリップフロップ、９０２、９０３は抵抗器である。また、状態記憶部２１３の出力信号である３１６は、起動状態通知信号であり、Ｌｏｗで自動起動オフ、Ｈｉｇｈで自動起動オンを示す。
【００５５】
起動状態設定信号３１５は、フリップフロップ５０１のＣＬＲ端子に接続されており、抵抗器９０２を介して電源に接続されており、停電等で電源制御部がオフとなり起動状態信号設定信号３１５を駆動できない場合にこの信号レベルをＨｉｇｈに保つ。
【００５６】
電源スイッチ状態信号３１１は、フリップフロップ５０１のＰＲ端子に接続されており、抵抗器９０３を介して電源に接続されており、プッシュスイッチ５０４が押下されていないとき、この信号レベルをＨｉｇｈに保つ。
【００５７】
従って状態記憶部２１３は、電源スイッチ部１０４が押下されると電源スイッチ状態信号３１１がＬｏｗとなり内部フリップフロップ５０１のＱ端子からの出力がＨｉｇｈにセットされる。すなわち起動状態通知信号３１６はＨｉｇｈとなり、自動起動オンを示す。また、起動状態設定信号３１５が電源制御部２０２にてＬｏｗが駆動されると、内部フリップフロップ５０１のＱ端子からの出力がクリアされて、起動状態通知信号３１６はＬｏｗとなり、自動起動オフを示す。
【００５８】
図１０は、本発明の実施形態２における電源制御部２０２の動作を表すフローチャートであり、これを参照して、電源制御部２０２の動作を説明する。
【００５９】
図１０において実施形態１と同じステップについては同一番号を振っている。
【００６０】
まずＳ７０１からＳ７０６までのステップは実施形態１と同一である。
【００６１】
次に電源制御部２０２は、ユーザーによって電源スイッチ部１０４のプッシュスイッチ５０４が押下され、電源スイッチ状態信号３１１の状態がＬｏｗになったことを検知すると（Ｓ７０６でＹｅｓ）、起動状態設定信号３１５を一旦Ｌｏｗにセットする。続いて電源制御部２０２は起動状態設定信号３１５をＨｉｇｈに設定することで（Ｓ９０１）、状態記憶部２１３のフリップフロップ５０１のＱ端子からの出力である起動状態通知信号３１６をＬｏｗにクリアする。これは、ユーザーによって、電源スイッチ部１０４のプッシュスイッチ５０４が押下され、電源スイッチ状態信号３１１の状態がＬｏｗになるとフリップフロップ５０１のＱ端子からの出力がＨｉｇｈにセットされてしまうためである。
【００６２】
次にＳ７０７に遷移するが、以降のステップは実施形態１と同一であるため、説明は割愛する。
【００６３】
以上説明したように、停電中の状態において、ユーザーによるプッシュスイッチ５０４の押下にしたがって、バッテリー部２００の電源にて動作する状態記憶部２１３内のフリップフロップ５０１のＱ端子からの出力を変更することができる。これによって起動状態通知信号３１６の出力レベルが変更されて、停電復旧時に印刷装置を自動で起動することが可能となる。
【００６４】
（実施形態３）
実施形態１では、フリップフロップ２０２をバッテリー部２００の電力を用いて停電中の状態を保持した。本実施形態３では、フリップフロップ２０２を用いず、コンデンサとダイオードを用いることで、バッテリー部２００を不要としたものであり、その方法を説明する。実施形態１と共通する考え方は、電源部１００（電圧変換部２０１）からの電力供給がなくとも、電源部１００に電力が供給されたときに印刷装置を自動的に起動するかしないかを設定できる手段を持つ、という点である。
【００６５】
図１１は、実施形態３におけるメインコントローラ部１０２の内部構成を示すブロック図であり、実施形態１との差分のみ説明する。実施形態３では、バッテリー部２００、電源切換部２１２、電源系０がなく、電源系０にあった状態記憶部２１３が電源系１に入る。また、状態記憶部２１３の内部構成が変更になり、詳細は後述する。その他の部分は実施形態１と同じため、説明は割愛する。
【００６６】
図１２は状態記憶部２１３と電源スイッチ部１０４の詳細を示す内部ブロック図である。図１２において、５２１はコンデンサ、５２２は抵抗器、５２３、５２４、５２５はダイオードである。また、状態記憶部２１３の出力信号である３１６は、起動状態通知信号３１６である。
【００６７】
コンデンサ５２１は、電源制御部２０２からの起動状態設定信号３１５がＨｉｇｈとなるとダイオード５２４が導通しコンデンサ５２１に電荷がチャージされ、起動状態通知信号３１６はＨｉｇｈとなる。一方プッシュスイッチ５０４が押されると、電源スイッチ状態信号３１１はＧＮＤに短絡しＬｏｗとなるので、ダイオード５２５が導通しコンデンサ５２１に保持されていた電荷が放電される。すると、起動状態通知信号３１６はＬｏｗとなる。
【００６８】
また、電源スイッチ状態信号３１１は、ダイオード５２３と抵抗器５２２を介して電源に接続されているため、プッシュスイッチ５０４が押下されていないとき、この電源スイッチ状態信号３１１はＨｉｇｈとなる。ダイオード５２４は、停電等で電源がオフとなった時にコンデンサ５２１に保持された電荷が放電しないように設けられたものである。ダイオード５２５は、抵抗器５２２とダイオード５２３を経由した電源からコンデンサ５２１に電荷がチャージされないように設けられたものである。
【００６９】
従って状態記憶部２１３は、電源スイッチ部１０４が押下されると電源スイッチ状態信号３１１がＬｏｗとなりコンデンサ１２１に保持された電荷が放電されて、起動状態通知信号３１６はＬｏｗとなる。また、起動状態設定信号３１５が電源制御部２０２にてＨｉｇｈにセットされると、コンデンサ１２１に電荷がチャージされて、起動状態通知信号３１６はＨｉｇｈとなる。
【００７０】
図１３は、実施形態３における電源制御部２０２の動作を表すフローチャートであり、また、図３は電源制御部２０２と接続されている各種信号を示す詳細ブロック図であり、これらを参照して、電源制御部２０２の動作を説明する。
【００７１】
まず電源制御部２０２は、電圧変換部２０１から出力電圧が供給されると、起動状態設定信号３１５をＬｏｗ、電源系２制御信号３１７をＬｏｗ、電源系３制御信号３１８をＬｏｗ、シャットダウン開始信号３２０をＬｏｗにセットする（Ｓ１３０１）。なお、出力電圧が電圧変換部２０１から電源制御部２０２に供給されるタイミングで電源スイッチ部１０４のプッシュスイッチ５０４は押されていないものとする。ここで起動状態設定信号３１５は、状態記憶部２１３のダイオード５２４に接続されており、その信号はＬｏｗであるため、ダイオード５２４は導通しない。また、停電中に電源スイッチ部１０４のプッシュスイッチ５０４を操作していなければ、停電前と、停電中と、停電が解消して外部電力が供給され始めた後とで、起動状態通知信号３１６は変わらない。
【００７２】
次に電源制御部２０２は、状態記憶部２１３からの起動状態通知信号３１６の状態がＨｉｇｈかどうかをチェックする（Ｓ１３０２）。起動状態通知信号３１６がＨｉｇｈの場合（Ｓ１３０２でＹｅｓ）、Ｓ１３０４に遷移し、Ｈｉｇｈでない場合（Ｓ１３０２でＮｏ）、Ｓ１３０３に遷移する。
【００７３】
起動状態通知信号３１６の状態がＬｏｗ（Ｓ１３０２でＮｏ）の場合は、シャットダウン処理後の正常終了もしくは、停電中のユーザーによる電源スイッチ部１０４の操作があったと判断できる。したがって、印刷装置を自動で起動せずに、ユーザーによるスイッチ部１０４の操作を待つ。すなわち電源制御部２０２は、電源スイッチ状態信号３１１の状態がＬｏｗかどうかをチェックし（Ｓ１３０３）、Ｌｏｗになるまで、このステートにとどまる。ユーザーによって、電源スイッチ部１０４のプッシュスイッチ５０４が押下され、電源スイッチ状態信号３１１の状態がＬｏｗになると（Ｓ１３０３でＹｅｓ）、電源制御部２０２は次の処理を行う。すなわち電源制御部２０２は、電源系２制御信号３１７をＨｉｇｈにセットし、かつ、電源系３制御信号３１８をＨｉｇｈにセットする（Ｓ１３０４）。ここで、電源系２制御信号３１７がＨｉｇｈ、電源系３制御信号３１８がＨｉｇｈになることで、電源系２（２０９）及び電源系３（２１１）の電源供給を開始し、電源オン状態に移行する。
【００７４】
Ｓ１３０２で起動状態通知信号３１６の状態がＨｉｇｈ（Ｙｅｓ）の場合は、停電等による異常終了が発生し、その後ユーザーによる電源スイッチ部１０４の操作が無いと判断できるため、Ｓ１３０４に遷移する。Ｓ１３０４において、電源制御部２０２は、電源系２制御信号（３１７）をＨｉｇｈにセットし、かつ、電源系３制御信号（３１８）をＨｉｇｈにセットすることで、電源系２（２０９）及び電源系３（２１１）の電源供給を開始し、電源オン状態に移行する。
【００７５】
次に電源制御部２０２は、起動状態設定信号３１５を一旦Ｈｉｇｈにセットしてから再びＬｏｗにセットする（Ｓ１３０５）。この起動状態設定信号３１５をＨｉｇｈにセットしたときに状態記憶部２１３のダイオード５２４が導通し、コンデンサ５２１に電荷がチャージされるため、起動状態通知信号３１６はＨｉｇｈとなる。すなわち、電源制御部２０２は、印刷装置が起動中であることを示す情報を状態記憶部２１３に設定する。またこの情報（印刷装置が起動中であることを示す情報）は、次回のステップＳ１３０２において参照されると、Ｓ１３０３がスキップされてＳ１３０４が実行されるので、印刷装置が起動中に停電が起き、その停電が解消すると、印刷装置は自動的に起動する。
【００７６】
次に電源制御部２０２は、電源スイッチ状態信号３１１の状態がＬｏｗかどうかをチェックし（Ｓ１３０６）、Ｌｏｗになるまで、このステートにとどまる。ユーザーによって、電源スイッチ部１０４のプッシュスイッチ５０４が押下されると、ダイオード５２５が導通し、電源スイッチ状態信号３１１の状態がＬｏｗになる。電源スイッチ状態信号３１１の状態がＬｏｗになると（Ｓ１３０６でＹｅｓ）、電源制御部２０２は、シャットダウン開始信号３２０をＨｉｇｈに駆動する（Ｓ１３０７）。ここでシャットダウン開始信号３２０はＣＰＵ部２０４に接続されており、この信号がＨｉｇｈになるとＣＰＵ部２０４は、シャットダウン処理を開始する。
【００７７】
次に電源制御部２０２は、シャットダウン完了信号３１９がＨｉｇｈかどうかをチェックし（Ｓ１３０８）、ＣＰＵ部２０４のシャットダウン処理が完了しシャットダウン完了信号３１９がＨｉｇｈになるまでこのステートにとどまる。シャットダウン完了信号３１９がＨｉｇｈとなると（Ｓ１３０８でＹｅｓ）、シャットダウン開始信号（３２０）をＬｏｗ、電源系２制御信号３１７をＬｏｗ、電源系３制御信号３１８をＬｏｗにして（Ｓ１３０９）、Ｓ１３０３に戻る。ここで、電源系２制御信号３１７がＬｏｗ、電源系３制御信号３１８がＬｏｗになることで、電源系２（２０９）及び電源系３（２１１）の電源供給を停止し、電源オフ状態に移行する。
【００７８】
実施形態３におけるＣＰＵ部２０４の動作は実施形態１と同一の動作となるため、説明は割愛する。
【００７９】
以上説明したように、停電中であってもユーザーによる電源スイッチ部１０４の操作によって、状態記憶部２１３内のコンデンサにチャージされた電荷が放電し起動状態通知信号３１６がＬｏｗとなる。このことにより、停電復旧時の自動起動を中止することができ、印刷装置をオフすることが可能となる。
【００８０】
（他の実施形態）
実施形態１及び２では、電源切換部２１２にてバッテリー部２００の出力と電圧変換部２０１の出力を切り換えて状態記憶部２１３の電源入力とする構成としたが、切り換えずに常にバッテリー部２００の出力を状態記憶部２１３の電源入力とする構成でも良い。
【００８１】
実施形態１、２及び３では、商用電源が電源部１００に供給されたときに起動状態通知信号３１６がＨｉｇｈレベルであれば、印刷装置は、通常電力状態ではなく次のような電力状態になってもよい。すなわち、印刷装置は、電源系０、１、２に電力が供給され、かつ、電源系３に電力が供給されない電力状態になる。この電力状態も通常電力状態も、ＦＡＸ１０７のＦＡＸ受信機能が使える点が共通している。
【００８２】
実施形態１、２及び３では、ユーザーによる１つの電源スイッチ部１０４の操作による電源スイッチ状態信号３１１によって電源系２電源供給部２０３と電源系３電源供給部２１０の制御を行うと説明した。しかし、電源スイッチ部は１つに限定されず複数であっても良い。例えば、電源系２電源供給部２０３と電源系３電源供給部２１０それぞれの制御用に電源スイッチ部を２個あっても同様の制御が可能である。また、電源系２用の電源スイッチ部と電源系３用の電源スイッチ部とを分けて設ける場合に、停電中に状態記憶部２１３に記憶されている情報を変更するためにユーザーによって操作される別のスイッチ部が設けられてもよい。また例えば印刷装置をオフ状態からオン状態にするためあるいはオン状態からオフ状態にするためにユーザーによって操作される電源スイッチとは別のスイッチによって、状態記憶部２１３に記憶されている情報が変更されるように構成してもよい。
【００８３】
また実施形態１及び２の状態記憶部２１３は、フリップフロップを用いた揮発性の記憶手段であった。しかし、別の例として、状態記憶部２１３は、メモリを用いた揮発性の記憶手段であってもよい。この場合には、状態記憶部２１３は、電源スイッチ部１０４の押下を検知するプロセッサと、そのプロセッサからの検知結果に応じてメモリに情報を書き込むメモリコントローラとを有する。そしてこれらプロセッサ、メモリ、メモリコントローラには、印刷装置外部から電力が供給されていない場合において、バッテリー部２００から電力が供給される。
【００８４】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2020075386.tif 000003
【図２】
2020075386.tif 000004
【図３】
2020075386.tif 000005
【図４】
2020075386.tif 000006
【図５】
2020075386.tif 000007
【図６】
2020075386.tif 000008
【図７】
2020075386.tif 000009
【図８】
2020075386.tif 000010
【図９】
2020075386.tif 000011
【図１０】
2020075386.tif 000012
【図１１】
2020075386.tif 000013
【図１２】
2020075386.tif 000014
【図１３】
2020075386.tif 000015